(57)【要約】      （修正有）【課題】連続紙の印刷処理の途中で障害が発生した場合に、正常に画像が印刷されている連続紙が無駄になることを防ぐ画像形成装置を提供する。【解決手段】印刷部１６は、出力指示を受けた印刷データに基づいて連続紙に画像を出力し、裁断信号受信部４１は、裁断処理装置から裁断中であることを示す裁断信号を受信する。たるみ量算出部４２は、受信された裁断信号に基づいて、裁断処理において形成される連続紙のたるみ量を算出する。制御部４５は、印刷データの出力処理中に障害が発生した場合、算出されたたるみ量分の連続紙の裁断を実行するために必要な時間だけ、裁断処理装置への停止指示を遅延させるよう停止指示送信部４４を制御する。【選択図】図７
2015221532.tif 000002
【特許請求の範囲】
【請求項１】
出力指示を受けた印刷データに基づいて連続紙に画像を出力する出力手段と、
前記出力手段により画像が出力された連続紙を裁断するための裁断処理装置から、裁断中であることを示す裁断信号を受信する受信手段と、
前記受信手段により受信された裁断信号に基づいて、前記裁断処理装置による裁断処理において形成される連続紙のたるみ量を算出する算出手段と、
前記裁断処理装置に停止指示を行う停止指示手段と、
印刷データの出力処理中に障害が発生した場合、前記算出手段により算出されたたるみ量分の連続紙の裁断を実行するために必要な時間だけ、前記裁断処理装置への停止指示を遅延させるよう前記停止指示手段を制御する制御手段と、
を有する画像形成装置。
【請求項２】
前記算出手段は、前記受信手段により前記裁断処理装置から裁断信号を受信した時間を積算した値を裁断処理時間の累積値として算出し、当該裁断処理時間の累積値に連続紙の搬送速度を乗算することによりたるみ量を算出する請求項１記載の画像形成装置。
【請求項３】
前記裁断処理装置による１回の裁断処理において形成される１回分のたるみ量を予め記憶する記憶手段をさらに有し、
前記算出手段は、前記受信手段により受信された裁断信号の回数に、前記記憶手段に記憶された１回分のたるみ量を乗算することにより、たるみ量を算出する請求項１記載の画像形成装置。
【請求項４】
前記算出手段は、算出したたるみ量を連続紙の搬送速度で除算することにより、当該たるみ量分の連続紙の裁断を実行するために必要な時間を遅延時間として算出し、
前記制御手段は、印刷データの出力処理中に障害が発生した場合、前記算出手段により算出された遅延時間だけ、前記裁断処理装置への停止指示を遅延させるよう前記停止指示手段を制御する請求項１から３いずれか記載の画像形成装置。
【請求項５】
連続紙に画像を形成するための画像形成装置により画像が出力された印刷処理後の連続紙を搬送する搬送手段と、
前記搬送手段により搬送された連続紙を裁断するための裁断機構と、
前記裁断機構が裁断中である時間を積算した値を裁断処理時間の累積値として取得する取得手段と、
前記取得手段により取得された裁断処理時間の累積値と、前記搬送手段による連続紙の搬送速度とに基づいて、前記裁断機構による裁断処理において形成される連続紙のたるみ量を算出する算出手段と、
前記画像形成装置から停止指示を受信する受信手段と、
前記受信手段により停止指示を受信した場合に、前記算出手段により算出されたたるみ量分の連続紙の裁断を実行するために必要な裁断回数まで、前記裁断機構による裁断処理の停止を遅延させるよう制御する制御手段と、
を有する裁断処理装置。
【請求項６】
前記連続紙を裁断する位置を示す裁断位置画像を検出する検出手段をさらに有し、
前記裁断機構は、前記検出手段により検出された裁断位置画像に基づいて、前記連続紙を予め定められた用紙長で裁断し、
前記算出手段は、算出したたるみ量を前記用紙長で除算することにより、当該たるみ量分の連続紙の裁断を実行するために必要な裁断回数を算出し、
前記制御手段は、前記算出手段により算出された裁断回数の裁断処理が行われるまで、前記裁断機構による裁断処理の停止を遅延させるよう制御する請求項５記載の裁断処理装置。
【請求項７】
連続紙に画像を出力するための画像形成装置と、前記画像形成装置により画像が出力された連続紙を裁断するための裁断処理装置とを備え、
前記画像形成装置は、
出力指示を受けた印刷データに基づいて連続紙に画像を出力する出力手段と、
前記出力手段により画像が出力された連続紙を裁断するための裁断処理装置から、裁断中であることを示す裁断信号を受信する第１の受信手段と、
前記受信手段により受信された裁断信号に基づいて、前記裁断処理装置による裁断処理において形成される連続紙のたるみ量を算出する算出手段と、
前記裁断処理装置に停止指示を行う停止指示手段と、
印刷データの出力処理中に障害が発生した場合、前記算出手段により算出されたたるみ量分の連続紙の裁断を実行するために必要な時間だけ、前記裁断処理装置への停止指示を遅延させるよう前記停止指示手段を制御する第１の制御手段と、
を有し、
前記裁断処理装置は、
前記画像形成装置により画像が出力された印刷処理後の連続紙を裁断するための裁断機構と、
前記画像形成装置に対して裁断信号を送信する送信手段と、
前記停止指示手段から停止指示を受信する第２の受信手段と、
前記第２の受信手段により前記画像形成装置から停止指示を受信した場合に、前記裁断機構による裁断処理を停止するよう制御する第２の制御手段と、
を有する印刷システム。
【請求項８】
連続紙に画像を出力するための画像形成装置と、前記画像形成装置により画像が出力された連続紙を裁断するための裁断処理装置とを備え、
前記画像形成装置は、
出力指示を受けた印刷データに基づいて連続紙に画像を出力する出力手段と、
前記裁断装置に停止指示を行う停止指示手段と、
印刷データの出力処理中に障害が発生した場合、前記裁断処理装置に停止指示を行うよう前記停止指示手段を制御する第１の制御手段と、
を有し、
前記裁断処理装置は、
前記画像形成装置により画像が出力された印刷処理後の連続紙を搬送する搬送手段と、
前記搬送手段により搬送された連続紙を裁断するための裁断機構と、
前記裁断機構が裁断中である時間を積算した値を裁断処理時間の累積値として取得する取得手段と、
前記取得手段により取得された裁断処理時間の累積値と、前記搬送手段による連続紙の搬送速度とに基づいて、前記裁断機構による裁断処理において形成される連続紙のたるみ量を算出する算出手段と、
前記画像形成装置から停止指示を受信する受信手段と、
前記受信手段により停止指示を受信した場合に、前記算出手段により算出されたたるみ量分の連続紙の裁断を実行するために必要な裁断回数まで、前記裁断機構による裁断処理の停止を遅延させるよう制御する第２の制御手段と、
を有する印刷システム。
【請求項９】
出力指示を受けた印刷データに基づいて連続紙に画像を出力するステップと、
画像が出力された連続紙を裁断するための裁断処理装置から、裁断中であることを示す裁断信号を受信するステップと、
受信された裁断信号に基づいて、前記裁断処理装置による裁断処理において形成される連続紙のたるみ量を算出するステップと、
前記裁断処理装置に停止指示を行うステップと、
印刷データの出力処理中に障害が発生した場合、算出されたたるみ量分の連続紙の裁断を実行するために必要な時間だけ、前記裁断処理装置への停止指示を遅延させるよう制御するステップと、
をコンピュータに実行させるためのプログラム。
【請求項１０】
連続紙に画像を形成するための画像形成装置により画像が出力された印刷処理後の連続紙を搬送するステップと、
搬送された連続紙を裁断するステップと、
裁断中である時間を積算した値を裁断処理時間の累積値として取得するステップと、
取得された裁断処理時間の累積値と、連続紙の搬送速度とに基づいて、裁断処理において形成される連続紙のたるみ量を算出するステップと、
前記画像形成装置から停止指示を受信する受信手段と、
停止指示を受信した場合に、算出されたたるみ量分の連続紙の裁断を実行するために必要な裁断回数まで、裁断処理の停止を遅延させるよう制御するステップと、
をコンピュータに実行させるためのプログラム。
【発明の詳細な説明】
【技術分野】
【０００１】
本発明は、画像形成装置、裁断処理装置、印刷システム及びプログラムに関する。
【背景技術】
【０００２】
特許文献１には、画像形成手段の下流側に配置された第１の搬送手段と、その下流側に配置された第２の搬送手段により連続紙を搬送し、さらに下流に設置された切断手段により連続紙を切断する際に、第２の搬送手段を停止させて連続紙にループを形成し、切断が終了すると第２の搬送手段を高速搬送することによりループを減少させることが記載されている。
【先行技術文献】
【特許文献】
【０００３】
【特許文献１】特開２０１１−１７７９０９号公報
【発明の開示】
【発明が解決しようとする課題】
【０００４】
本発明の目的は、連続紙の印刷処理の途中で障害が発生した場合に、正常に画像が印刷されている連続紙が無駄になることを防ぐことが可能な画像形成装置、裁断処理装置、印刷システム及びプログラムを提供することである。
【課題を解決するための手段】
【０００５】
請求項１に係る本発明は、出力指示を受けた印刷データに基づいて連続紙に画像を出力する出力手段と、
前記出力手段により画像が出力された連続紙を裁断するための裁断処理装置から、裁断中であることを示す裁断信号を受信する受信手段と、
前記受信手段により受信された裁断信号に基づいて、前記裁断処理装置による裁断処理において形成される連続紙のたるみ量を算出する算出手段と、
前記裁断処理装置に停止指示を行う停止指示手段と、
印刷データの出力処理中に障害が発生した場合、前記算出手段により算出されたたるみ量分の連続紙の裁断を実行するために必要な時間だけ、前記裁断処理装置への停止指示を遅延させるよう前記停止指示手段を制御する制御手段と、
を有する画像形成装置である。
【０００６】
請求項２に係る本発明は、前記算出手段が、前記受信手段により前記裁断処理装置から裁断信号を受信した時間を積算した値を裁断処理時間の累積値として算出し、当該裁断処理時間の累積値に連続紙の搬送速度を乗算することによりたるみ量を算出する請求項１記載の画像形成装置である。
【０００７】
請求項３に係る本発明は、前記裁断処理装置による１回の裁断処理において形成される１回分のたるみ量を予め記憶する記憶手段をさらに有し、
前記算出手段は、前記受信手段により受信された裁断信号の回数に、前記記憶手段に記憶された１回分のたるみ量を乗算することにより、たるみ量を算出する請求項１記載の画像形成装置である。
【０００８】
請求項４に係る本発明は、前記算出手段が、算出したたるみ量を連続紙の搬送速度で除算することにより、当該たるみ量分の連続紙の裁断を実行するために必要な時間を遅延時間として算出し、
前記制御手段は、印刷データの出力処理中に障害が発生した場合、前記算出手段により算出された遅延時間だけ、前記裁断処理装置への停止指示を遅延させるよう前記停止指示手段を制御する請求項１から３いずれか記載の画像形成装置である。
【０００９】
請求項５に係る本発明は、連続紙に画像を形成するための画像形成装置により画像が出力された印刷処理後の連続紙を搬送する搬送手段と、
前記搬送手段により搬送された連続紙を裁断するための裁断機構と、
前記裁断機構が裁断中である時間を積算した値を裁断処理時間の累積値として取得する取得手段と、
前記取得手段により取得された裁断処理時間の累積値と、前記搬送手段による連続紙の搬送速度とに基づいて、前記裁断機構による裁断処理において形成される連続紙のたるみ量を算出する算出手段と、
前記画像形成装置から停止指示を受信する受信手段と、
前記受信手段により停止指示を受信した場合に、前記算出手段により算出されたたるみ量分の連続紙の裁断を実行するために必要な裁断回数まで、前記裁断機構による裁断処理の停止を遅延させるよう制御する制御手段と、
を有する裁断処理装置である。
【００１０】
請求項６に係る本発明は、前記連続紙を裁断する位置を示す裁断位置画像を検出する検出手段をさらに有し、
前記裁断機構は、前記検出手段により検出された裁断位置画像に基づいて、前記連続紙を予め定められた用紙長で裁断し、
前記算出手段は、算出したたるみ量を前記用紙長で除算することにより、当該たるみ量分の連続紙の裁断を実行するために必要な裁断回数を算出し、
前記制御手段は、前記算出手段により算出された裁断回数の裁断処理が行われるまで、前記裁断機構による裁断処理の停止を遅延させるよう制御する請求項５記載の裁断処理装置である。
【００１１】
請求項７に係る本発明は、連続紙に画像を出力するための画像形成装置と、前記画像形成装置により画像が出力された連続紙を裁断するための裁断処理装置とを備え、
前記画像形成装置は、
出力指示を受けた印刷データに基づいて連続紙に画像を出力する出力手段と、
前記出力手段により画像が出力された連続紙を裁断するための裁断処理装置から、裁断中であることを示す裁断信号を受信する第１の受信手段と、
前記受信手段により受信された裁断信号に基づいて、前記裁断処理装置による裁断処理において形成される連続紙のたるみ量を算出する算出手段と、
前記裁断処理装置に停止指示を行う停止指示手段と、
印刷データの出力処理中に障害が発生した場合、前記算出手段により算出されたたるみ量分の連続紙の裁断を実行するために必要な時間だけ、前記裁断処理装置への停止指示を遅延させるよう前記停止指示手段を制御する第１の制御手段と、
を有し、
前記裁断処理装置は、
前記画像形成装置により画像が出力された印刷処理後の連続紙を裁断するための裁断機構と、
前記画像形成装置に対して裁断信号を送信する送信手段と、
前記停止指示手段から停止指示を受信する第２の受信手段と、
前記第２の受信手段により前記画像形成装置から停止指示を受信した場合に、前記裁断機構による裁断処理を停止するよう制御する第２の制御手段と、
を有する印刷システムである。
【００１２】
請求項８に係る本発明は、連続紙に画像を出力するための画像形成装置と、前記画像形成装置により画像が出力された連続紙を裁断するための裁断処理装置とを備え、
前記画像形成装置は、
出力指示を受けた印刷データに基づいて連続紙に画像を出力する出力手段と、
前記裁断装置に停止指示を行う停止指示手段と、
印刷データの出力処理中に障害が発生した場合、前記裁断処理装置に停止指示を行うよう前記停止指示手段を制御する第１の制御手段と、
を有し、
前記裁断処理装置は、
前記画像形成装置により画像が出力された印刷処理後の連続紙を搬送する搬送手段と、
前記搬送手段により搬送された連続紙を裁断するための裁断機構と、
前記裁断機構が裁断中である時間を積算した値を裁断処理時間の累積値として取得する取得手段と、
前記取得手段により取得された裁断処理時間の累積値と、前記搬送手段による連続紙の搬送速度とに基づいて、前記裁断機構による裁断処理において形成される連続紙のたるみ量を算出する算出手段と、
前記画像形成装置から停止指示を受信する受信手段と、
前記受信手段により停止指示を受信した場合に、前記算出手段により算出されたたるみ量分の連続紙の裁断を実行するために必要な裁断回数まで、前記裁断機構による裁断処理の停止を遅延させるよう制御する第２の制御手段と、
を有する印刷システムである。
【００１３】
請求項９に係る本発明は、出力指示を受けた印刷データに基づいて連続紙に画像を出力するステップと、
画像が出力された連続紙を裁断するための裁断処理装置から、裁断中であることを示す裁断信号を受信するステップと、
受信された裁断信号に基づいて、前記裁断処理装置による裁断処理において形成される連続紙のたるみ量を算出するステップと、
前記裁断処理装置に停止指示を行うステップと、
印刷データの出力処理中に障害が発生した場合、算出されたたるみ量分の連続紙の裁断を実行するために必要な時間だけ、前記裁断処理装置への停止指示を遅延させるよう制御するステップと、
をコンピュータに実行させるためのプログラムである。
【００１４】
請求項１０に係る本発明は、連続紙に画像を形成するための画像形成装置により画像が出力された印刷処理後の連続紙を搬送するステップと、
搬送された連続紙を裁断するステップと、
裁断中である時間を積算した値を裁断処理時間の累積値として取得するステップと、
取得された裁断処理時間の累積値と、連続紙の搬送速度とに基づいて、裁断処理において形成される連続紙のたるみ量を算出するステップと、
前記画像形成装置から停止指示を受信する受信手段と、
停止指示を受信した場合に、算出されたたるみ量分の連続紙の裁断を実行するために必要な裁断回数まで、裁断処理の停止を遅延させるよう制御するステップと、
をコンピュータに実行させるためのプログラムである。
【発明の効果】
【００１５】
請求項１に係る本発明によれば、連続紙の印刷処理の途中で障害が発生した場合に、正常に画像が印刷されている連続紙が無駄になることを防ぐことが可能な画像形成装置を提供することができる。
【００１６】
請求項２に係る本発明によれば、裁断処理において形成されるたるみ量を予め記憶せずに連続紙のたるみ量を算出することが可能な画像形成装置を提供することができる。
【００１７】
請求項３に係る本発明によれば、裁断処理時間の累積値を算出せずに連続紙のたるみ量を算出することが可能な画像形成装置を提供することができる。
【００１８】
請求項４に係る本発明によれば、遅延時間を算出しない場合と比べて、正常に画像が印刷されている連続紙が無駄になることなく、早く停止指示を行うことが可能な画像形成装置を提供することができる。
【００１９】
請求項５に係る本発明によれば、連続紙の印刷処理の途中で障害が発生した場合に、正常に画像が印刷されている連続紙が無駄になることを防ぐことが可能な裁断処理装置を提供することができる。
【００２０】
請求項６に係る本発明によれば、正常に画像が印刷されている連続紙が無駄にならない裁断回数を特定することが可能な裁断処理装置を提供することができる。
【００２１】
請求項７に係る本発明によれば、連続紙の印刷処理の途中で障害が発生した場合に、正常に画像が印刷されている連続紙が無駄になることを防ぐことが可能な印刷システムを提供することができる。
【００２２】
請求項８に係る本発明によれば、連続紙の印刷処理の途中で障害が発生した場合に、正常に画像が印刷されている連続紙が無駄になることを防ぐことが可能な印刷システムを提供することができる。
【００２３】
請求項９に係る本発明によれば、連続紙の印刷処理の途中で障害が発生した場合に、正常に画像が印刷されている連続紙が無駄になることを防ぐことが可能なプログラムを提供することができる。
【００２４】
請求項１０に係る本発明によれば、連続紙の印刷処理の途中で障害が発生した場合に、正常に画像が印刷されている連続紙が無駄になることを防ぐことが可能なプログラムを提供することができる。
【図面の簡単な説明】
【００２５】
【図１】本発明の第１の実施形態の印刷システムを示す図である。
【図２】本発明の第１の実施形態におけるカットマークを説明するための図である。
【図３】本発明の第１の実施形態における裁断処理のタイミングチャートを示す図である。
【図４】本発明の第１の実施形態における裁断処理の際に形成される連続紙のたるみを説明するための図である。
【図５】本発明の第１の実施形態における用紙長を説明するための図である。
【図６】本発明の第１の実施形態の画像形成装置１０のハードウェア構成を示すブロック図である。
【図７】本発明の第１の実施形態の画像形成装置１０の機能構成を示すブロック図である。
【図８】本発明の第１の実施形態の印刷システムの処理を示すフローチャートである。
【図９】本発明の第１の実施形態におけるたるみ量の算出方法を示すフローチャートである。
【図１０】本発明の第２の実施形態の印刷システムを示す図である。
【図１１】本発明の第２の実施形態の裁断処理装置２０ａのハードウェア構成を示すブロック図である。
【図１２】本発明の第２の実施形態の裁断処理装置２０ａの機能構成を示すブロック図である。
【図１３】本発明の第２の実施形態の印刷システムの処理を示すフローチャートである。
【図１４】本発明の第２の実施形態におけるたるみ量の算出方法を示すフローチャートである。
【発明を実施するための最良の形態】
【００２６】
次に、本発明の実施の形態について図面を参照して詳細に説明する。
【００２７】
［第１の実施形態］
図１は、本発明の第１の実施形態の印刷システムのシステム構成を示す図である。
【００２８】
本実施形態の印刷システムは、図１に示されるように、画像形成装置（プリンタ）１０と裁断処理装置（カッター）２０とから構成されている。
【００２９】
画像形成装置１０は、出力指示を受けた印刷データに基づいて、連続紙（ロール紙、長尺用紙）に画像を出力する印刷部（出力手段）１６を備え、給紙部から供給された連続紙上に画像を印刷する。
【００３０】
裁断処理装置２０は、画像形成装置１０により画像が出力された連続紙の裁断処理を行うための装置であり、画像形成装置１０から出力された印刷処理後の連続紙を裁断するためのカット機構（裁断機構）２１と、画像形成装置１０から出力された印刷処理後の連続紙を搬送するための搬送部２２とを備えている。
【００３１】
画像形成装置１０では、印刷部１６により、連続紙上に印刷データに基づく画像とともに、例えば、図２に示すようなカットマーク（裁断位置画像）を印刷する。そして、裁断処理装置２０は、図示されないセンサによりこのカットマークを読み取り、読み取ったカットマークの位置に基づいてカット機構２１を制御することにより、印刷後の連続紙を予め定められた用紙長で裁断して出力している。本実施形態においては、予め定められた用紙長として連続紙の長さ２４０ｍｍ毎にカットマークが印刷される。
【００３２】
そして、画像形成装置１０と裁断処理装置２０とは通信ケーブル３０により接続されている。画像形成装置１０と裁断処理装置２０とは、この通信ケーブル３０を介して、裁断処理装置２０を停止させるための停止指示や、裁断処理装置２０が裁断中であることを示す裁断信号等の各種情報の送受信を行っている。
【００３３】
次に、本実施形態における裁断処理について説明する。
【００３４】
図３は、本実施形態における印刷システムの裁断処理のタイミングチャートを示す図である。
【００３５】
まず、図３に示されるように、画像形成装置１０において、給紙部により給紙された連続紙に対して印刷データの出力処理が行われると、裁断処理装置２０は、搬送部２２により印刷処理後の連続紙の搬送を開始する。このとき、搬送部２２は、給紙部の給紙速度と等速の搬送速度で連続紙を搬送する。本実施形態においては、搬送部２２の搬送速度及び給紙部の給紙速度が、例えば１５０ｍｍ／秒であるものとして説明する。
【００３６】
そして、図３に示されるように、裁断処理装置２０は、図示されないセンサにより連続紙に印刷されたカットマークが読み取られた場合に、このカットマークの位置に基づいて、裁断処理を行うようカット機構２１を制御する。このとき、搬送部２２は、連続紙の搬送速度を減速させてから、搬送を一旦停止する。
【００３７】
そして、図３に示されるように、搬送部２２による連続紙の搬送が一旦停止すると、カット機構２１による裁断処理が行われる。また、カット機構２１による裁断処理が開始された場合には、図３に示されるように、裁断処理装置２０は、画像形成装置１０に対して裁断中の状態を示す裁断信号を送信する。
【００３８】
そして、図３に示されるように、カット機構２１による裁断処理が完了すると、裁断処理装置２０は、再び画像形成装置１０の給紙部の給紙速度と等速となるように、搬送部２２を加速させる。また、カット機構２１による裁断処理が完了した場合には、図３に示されるように、裁断処理装置２０は、画像形成装置１０に対する裁断信号の送信を終了する。
【００３９】
以下、カット機構２１が裁断中の状態である時間、即ち、１回の裁断処理において、裁断処理を開始してから完了するまでの間に画像形成装置１０が裁断信号を受信した時間を裁断処理時間として説明する。なお、本実施形態においては、裁断処理時間を、例えば２秒であるものとして説明する。
【００４０】
上述したように、カット機構２１により裁断処理が行われている間、裁断処理装置２０は、搬送部２２による連続紙の搬送を一旦停止させるため、図４に示されるように、画像形成装置１０の給紙部によって連続紙が給紙された分、画像形成装置１０と裁断処理装置２０との間のたるみ形成部において、画像が出力されている印刷処理後の連続紙のたるみが形成される。
【００４１】
また、図５に示されるように、カット機構２１は、印刷部１６により出力されたカットマークに基づいて連続紙を裁断することにより、連続紙を予め定められた用紙長で裁断して出力している。
【００４２】
次に、本実施形態の印刷システムにおける画像形成装置１０のハードウェア構成を図６に示す。
【００４３】
画像形成装置１０は、図６に示されるように、ＣＰＵ１１、メモリ１２、ハードディスクドライブ（ＨＤＤ）等の記憶装置１３、通信ケーブル３０を介して裁断処理装置２０との間でデータの送信及び受信を行う通信インタフェース（ＩＦ）１４、タッチパネル又は液晶ディスプレイ並びにキーボードを含むユーザインタフェース（ＵＩ）装置１５、印刷部１６を有する。これらの構成要素は、制御バス１７を介して互いに接続されている。
【００４４】
ＣＰＵ１１は、メモリ１２または記憶装置１３に格納された制御プログラムに基づいて所定の処理を実行して、画像形成装置１０の動作を制御する。
【００４５】
なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００４６】
図７は、上記の制御プログラムが実行されることにより実現される画像形成装置１０の機能構成を示すブロック図である。
【００４７】
画像形成装置１０は、図７に示されるように、印刷部１６と、裁断信号受信部４１と、たるみ量算出部４２と、遅延時間算出部４３と、停止指示送信部４４と、制御部４５と、記憶部４６とを備えている。
【００４８】
裁断信号受信部４１は、裁断処理装置２０により連続紙に対して裁断が行われた場合に、裁断処理装置２０から裁断中であることを示す裁断信号を受信する。
【００４９】
たるみ量算出部４２は、裁断信号受信部４１により受信された裁断信号に基づいて、裁断処理装置２０による裁断処理において形成される連続紙のたるみ量を算出する。なお、具体的なたるみ量の算出方法は後述する。また、たるみ量算出部４２は、裁断信号受信部４１により裁断処理装置２０から裁断信号を受信した時間を積算した値を裁断処理時間の累積値として算出して記憶部４６に記憶させる。
【００５０】
遅延時間算出部４３は、たるみ量算出部４２により算出されたたるみ量を連続紙の搬送速度で除算することにより、当該たるみ量分の連続紙の裁断を実行するために必要な時間を遅延時間として算出する。本実施形態においては、遅延時間算出部４３は、たるみ量算出部４２により算出されたたるみ量を、搬送部２２が連続紙を搬送する際の定速時の搬送速度の値で除算することにより、たるみ形成部に形成されている連続紙の裁断を実行するために必要な時間を遅延時間として算出する。
【００５１】
停止指示送信部４４は、裁断処理装置２０に停止指示を送信する。
【００５２】
制御部４５は、印刷データの出力処理中に紙詰まり等のエラー（障害）が発生した場合、連続紙に対する画像の出力を停止するよう印刷部１６を制御するとともに、遅延時間算出部４３により算出された遅延時間だけ、裁断処理装置２０への停止指示を遅延させるよう停止指示送信部４４を制御する。
【００５３】
記憶部４６は、たるみ量算出部４２により算出された裁断処理時間の累積値と、搬送部２２が連続紙を搬送する際の定速時の速度を示す搬送速度情報とを記憶する。
【００５４】
次に、本実施形態における印刷システムの全体的な動作について、図８のフローチャートを参照して説明する。
【００５５】
まず、印刷部１６は、出力指示を受けた印刷データに基づいて、連続紙に画像を出力する（ステップＳ１０１）。この時、印刷部１６は、連続紙上に印刷データに基づく画像とともに、カットマークを印刷する。
【００５６】
次に、カット機構２１は、画像が出力された連続紙に対して裁断処理を行う（ステップＳ１０２）。
【００５７】
そして、たるみ量算出部４２は、裁断信号受信部４１により受信した裁断信号に基づいて、裁断処理時間の累積値を算出する（ステップＳ１０３）。具体的には、たるみ量算出部４２は、裁断信号受信部４１により裁断処理装置２０から裁断信号を受信する毎に、１回の裁断処理における裁断処理時間を記憶部４６に記憶させていくことにより裁断処理時間を積算し、この裁断処理時間を積算した値を裁断処理時間の累積値として算出する。例えば、裁断信号受信部４１により裁断処理装置２０から１回目の裁断信号を２秒間受信した場合には、たるみ量算出部４２は、裁断処理時間を２秒として記憶部４６に記憶させる。そして、裁断信号受信部４１によって２回目の裁断信号を２秒間受信した場合には、たるみ量算出部４２は、２回目の裁断処理時間を２秒として、記憶部４６に記憶されている１回目の裁断処理時間と積算することにより、裁断処理時間の累積値を４秒として算出する。
【００５８】
そして、制御部４５は、画像形成装置１０において、紙詰まり等のエラーが発生したか否かを判定する（ステップＳ１０４）。
【００５９】
エラーが発生したと判定された場合には（ステップＳ１０４においてｙｅｓ）、たるみ量算出部４２は、後述する方法を用いてたるみ量を算出する（ステップＳ１０５）。
【００６０】
次に、遅延時間算出部４３は、たるみ量算出部４２により算出されたたるみ量を、記憶部４６に記憶された搬送速度情報の値で除算することにより遅延時間を算出する（ステップＳ１０６）。例えば、たるみ量算出部４２により算出されたたるみ量が１５００ｍｍである場合、遅延時間算出部４３は、この値を１５０ｍｍ／秒（搬送速度情報の値）で除算することにより、遅延時間として１０秒を算出する。
【００６１】
次に、制御部４５は、印刷部１６及び給紙部を停止するよう制御する（ステップＳ１０７）。
【００６２】
そして、制御部４５は、印刷部１６及び給紙部を停止してから、遅延時間算出部４３により算出された遅延時間分の時間が経過したか否かを判定する（ステップＳ１０８）。
【００６３】
そして、遅延時間分の時間が経過していないと判定された場合（ステップＳ１０８においてｎｏ）、遅延時間分の時間が経過するまでステップＳ１０８の判定を繰り返す。
【００６４】
また、遅延時間分の時間が経過していると判定された場合（ステップＳ１０８においてｙｅｓ）、制御部４５は、裁断処理装置２０に停止指示を送信するよう停止指示送信部４４を制御する（ステップＳ１０９）。
【００６５】
そして、裁断処理装置２０は、停止指示送信部４４から停止指示を受信した場合に、カット機構２１の裁断処理及び搬送部２２の連続紙の搬送を停止する（ステップＳ１１０）。そして、印刷システムの印刷処理を終了する。
【００６６】
また、エラーが発生していないと判定された場合には（ステップＳ１０４においてｎｏ）、印刷部１６は、印刷データにおける全ページの印刷処理が完了したか否かを判定する（ステップＳ１１１）。
【００６７】
印刷データにおける全ページの印刷処理が完了していないと判定された場合には（ステップＳ１１１においてｎｏ）、ステップＳ１０１〜ステップＳ１１０の処理を繰り返す。
【００６８】
また、印刷データにおける全ページの印刷処理が完了していると判定された場合には（ステップＳ１１１においてｙｅｓ）、印刷システムの印刷処理を終了する。
【００６９】
次に、ステップＳ１０５におけるたるみ量の算出方法の詳細について、図９のフローチャートを参照して説明する。
【００７０】
まず、たるみ量算出部４２は、記憶部４６に記憶されている裁断処理時間の累積値及び搬送速度情報を取得する（ステップＳ２０１）。例えば、エラーが発生するまでに裁断処理信号受信部４１おいて裁断信号を５回受信している場合、たるみ量算出部４２は、記憶部４６において積算された５回分の裁断処理時間の累積値１０秒と、記憶部４６に記憶された搬送速度情報１５０ｍｍ／秒を取得する。
【００７１】
次に、たるみ量算出部４２は、裁断処理時間の累積値と搬送速度情報の値とを乗算することにより、エラーが発生するまでにたるみ形成部において形成されるたるみ量を算出する（ステップＳ２０２）。具体的には、たるみ量算出部４２は、裁断処理時間の累積値１０秒と搬送速度情報１５０ｍｍ／秒の値とを乗算した値１５００ｍｍを算出する。
【００７２】
なお、本実施形態においては、裁断処理時間の累積値と搬送速度情報の値とを乗算することによりたるみ量を算出するものとして説明したが、図３に示されるように、裁断処理を行う場合に、搬送部２２が搬送速度を減速及び加速させる際にも、たるみ形成部においてたるみが形成されることを考慮するようにしてもよい。具体的には、たるみ量算出部４２は、裁断信号受信部４１において１回の裁断信号を受信する毎に、搬送速度を減速及び加速させる際に形成されるたるみ量として予め定められたたるみ量を積算していき、裁断処理時間の値と搬送速度情報の値とを乗算した値に、積算された予め定められたたるみ量を加算するようにしてもよい。例えば、予め定められたたるみ量として１回の裁断信号を受信する毎に１００ｍｍが設定されている場合には、たるみ量算出部４２は、１０秒（５回分の裁断処理時間の累積値）と１５０ｍｍ／秒（搬送速度情報の値）とを乗算した値（１５００ｍｍ）に５００ｍｍ（５回分の裁断信号を受信した場合の予め定められたたるみ量）を加算して、たるみ量を２０００ｍｍとして算出するようにしてもよい。
【００７３】
また、本実施形態においては、たるみ量算出部４２が、裁断処理が１回行われる毎に裁断処理時間の累積値を算出するものとして説明したが、裁断処理装置２０による１回の裁断処理において形成される１回分のたるみ量を記憶部４６において予め記憶しておき、裁断信号受信部４１により裁断信号を受信した回数をたるみ量算出部４２がカウントするようにしてもよい。この場合には、たるみ量算出部４２は、エラーが発生した場合に、裁断信号を受信した回数に、記憶部４６に記憶された１回分のたるみ量を乗算することにより、当該印刷処理の裁断処理において形成された合計のたるみ量を算出するようにしてもよい。
【００７４】
また、本実施形態においては、裁断処理を開始してから完了するまでの間に、裁断信号受信部４１が裁断処理装置２０から裁断信号を受信した時間を裁断処理時間として算出するものとして説明したが、裁断信号受信部４１が裁断処理装置２０から直接裁断処理時間を受信するようにしてもよい。
【００７５】
［第２の実施形態］
次に、上記第１の実施形態においては、画像形成装置１０側でたるみ量及び遅延時間を算出するものとして説明したが、以下の第２の実施形態においては、裁断処理装置２０側でたるみ量及び裁断回数を算出する場合について説明する。
【００７６】
図１０は、本発明の第２の実施形態の印刷システムを示す図である。なお、以下の説明においては、第１の実施形態と同じ構成部分については同じ符号を付与して説明を省略する。
【００７７】
図１０に示されるように、本実施形態における印刷システムは、画像形成装置１０ａにおいてたるみ量及び遅延時間を算出せず、裁断処理装置２０ａの内部構成が異なる以外は、第１の実施形態と同一である。
【００７８】
次に、本実施形態の印刷システムにおける裁断処理装置２０ａのハードウェア構成を図１１に示す。
【００７９】
裁断処理装置２０ａは、図１１に示されるように、カット機構２１、搬送部２２、ＣＰＵ２３、メモリ２４、ハードディスクドライブ（ＨＤＤ）等の記憶装置２５、通信ケーブル３０を介して画像形成装置１０ａとの間でデータの送信及び受信を行う通信インタフェース（ＩＦ）２６、タッチパネル又は液晶ディスプレイ並びにキーボードを含むユーザインタフェース（ＵＩ）装置２７を有する。これらの構成要素は、制御バス２８を介して互いに接続されている。
【００８０】
ＣＰＵ２３は、メモリ２４または記憶装置２５に格納された制御プログラムに基づいて所定の処理を実行して、裁断処理装置２０ａの動作を制御する。
【００８１】
なお、本実施形態では、ＣＰＵ２３は、メモリ２４または記憶装置２５内に格納された制御プログラムを読み出して実行するものとして説明したが、当該プログラムをＣＤ−ＲＯＭ等の記憶媒体に格納してＣＰＵ２３に提供することも可能である。
【００８２】
図１２は、上記の制御プログラムが実行されることにより実現される裁断処理装置２０ａの機能構成を示すブロック図である。
【００８３】
裁断処理装置２０ａは、図１２に示されるように、カット機構２１と、搬送部２２と、取得部５１と、たるみ量算出部５２と、カット回数算出部５３と、停止指示受信部５４と、制御部５５と、記憶部５６とを備えている。
【００８４】
取得部５１は、カット機構２１が裁断中である時間を積算した値を裁断処理時間の累積値として取得する。また、取得部５１は、搬送部２２から連続紙の搬送速度を示す搬送速度情報を取得する。本実施形態においても、第１の実施形態と同様に、裁断処理時間を２秒、搬送部２２の搬送速度を１５０ｍｍ／秒として説明する。
【００８５】
たるみ量算出部５２は、取得部５１により取得された裁断処理時間の累積値と、搬送部２２による連続紙の搬送速度とに基づいて、カット機構２１による裁断処理において形成される連続紙のたるみ量を算出する。なお、具体的なたるみ量の算出方法については後述する。
【００８６】
カット回数算出部５３は、たるみ量算出部５２により算出されたたるみ量を用紙長で除算することにより、当該たるみ量分の連続紙の裁断を実行するために必要なカット回数を算出する。具体的には、カット回数算出部５３は、たるみ量算出部５２により算出されたたるみ量の値を、記憶部５６に記憶された用紙長の値で除算することによりカット回数を算出する。例えば、たるみ量算出部５２により算出されたたるみ量が１５００ｍｍである場合には、カット回数算出部５３は、たるみ量１５００ｍｍを２４０ｍｍ（用紙長）で除算することにより得られる値６．２５の小数点以下を切り捨てることにより、カット回数を６回として算出する。
【００８７】
停止指示受信部５４は、画像形成装置１０ａから停止指示を受信する。
【００８８】
制御部５５は、停止指示受信部５４により停止指示を受信した場合に、カット回数算出部５３により算出されたカット回数分の裁断処理が行われるまで、カット機構２１による裁断処理の停止及び搬送部２２による連続紙の搬送の停止を遅延させるよう制御する。
【００８９】
記憶部５６は、取得部５１により取得された裁断処理時間の累積値と、カットマークに基づいて裁断される連続紙の用紙長とを記憶する。なお、用紙長は画像形成装置１０ａから取得して記憶するようにしてもよいし、カット機構２１の図示されないセンサにおいて検知されたカットマークの間隔に基づいて取得して記憶するようにしてもよい。
【００９０】
次に、本実施形態の印刷システムの全体的な動作について、図１３のフローチャートを参照して説明する。なお、図１３のフローチャートにおいて、第１の実施形態と同じ処理については同じ符号を付与して説明を省略する。
【００９１】
まず、取得部５１は、カット機構２１が裁断中の状態である時間を積算した値を裁断処理時間の累積値として記憶部５６に記憶させる（ステップＳ３０１）。具体的には、取得部５１は、カット機構２１が裁断を実行する毎に、１回の裁断処理における裁断処理時間を記憶部５６に記憶させていくことにより裁断処理時間を積算し、この裁断処理時間を積算した値を裁断処理時間の累積値として記憶部５６に記憶させる。例えば、カット機構２１が１回目の裁断処理に２秒間を要した場合に、取得部５１は、裁断処理時間２秒を取得して記憶部５６に記憶させる。そして、カット機構２１が２回目の裁断処理に２秒間を要した場合には、取得部５１は、裁断処理時間２秒を記憶部５６に記憶されている１回目の裁断処理時間と積算することにより、裁断処理時間の累積値を４秒として記憶部５６に記憶させる。
【００９２】
そして、画像形成装置１０ａにおいて紙詰まり等のエラーが発生した場合に、停止指示受信部５４は、画像形成装置１０ａから停止指示を受信する（ステップＳ３０２）。
【００９３】
次に、たるみ量算出部５２は、取得部５１により取得された裁断処理時間の累積値と、搬送部２２による連続紙の搬送速度とに基づいて、カット機構２１による裁断処理において形成される連続紙のたるみ量を算出する（ステップＳ３０３）。なお、たるみ量を算出する具体的な方法については後述する。
【００９４】
そして、カット回数算出部５３は、たるみ量算出部５２により算出されたたるみ量を用紙長で除算することにより、当該たるみ量分の連続紙の裁断を実行するために必要なカット回数を算出する（ステップＳ３０４）。
【００９５】
次に、制御部５５は、停止指示受信部５４により停止指示を受信してから、カット機構２１がステップＳ３０４において算出されたカット回数分の裁断を実行したか否かを判定する（ステップＳ３０５）。例えば、カット回数算出部５３により算出されたカット回数が６回である場合には、停止指示を受信してから、カット機構２１により裁断が６回実行されたか否かを判定する。
【００９６】
カット回数分の裁断を実行していないと判定された場合には（ステップＳ３０５においてｎｏ）、カット機構２１がカット回数分の裁断を実行するまでこの判定を繰り返す。
【００９７】
また、カット回数分の裁断を実行したと判定された場合には（ステップＳ３０５においてｙｅｓ）、制御部５５は、裁断処理を停止するようカット機構２１を制御するとともに、連続紙の搬送を停止するよう搬送部２２を制御する（ステップＳ３０６）。
【００９８】
次に、ステップＳ３０１におけるたるみ量の算出方法について、図１４のフローチャートを参照して詳細に説明する。
【００９９】
まず、取得部５１は、記憶部５６に記憶されている裁断処理時間の累積値と、搬送部２２から連続紙の搬送速度を示す搬送速度情報とを取得する（ステップＳ４０１）。例えば、エラーが発生するまでにカット機構２１により裁断が５回実行されている場合、取得部５１は、記憶部５６において積算された裁断処理時間の累積値１０秒と、記憶部５６に記憶された搬送速度情報１５０ｍｍ／秒を取得する。なお、本実施形態においては、取得部５１により搬送部２２から搬送速度情報を取得するものとして説明するが、記憶部５６において搬送速度情報を予め記憶するようにしてもよい。
【０１００】
次に、たるみ量算出部５２は、取得部５１が取得した裁断処理時間の累積値に搬送速度情報の値を乗算することにより、たるみ形成部に形成されるたるみ量を算出する（ステップＳ４０２）。例えば、たるみ量算出部５２は、取得部５１が取得した裁断処理時間の累積値１０秒に搬送速度情報１５０ｍｍ／秒を乗算することにより、たるみ量を１５００ｍｍとして算出する。
【０１０１】
なお、上記第２の実施形態においては、カット回数分の裁断が実行されるまで、裁断処理の停止を遅延させるものとして説明したが、第１の実施形態と同様に、たるみ量算出部５２により算出されたたるみ量を連続紙の搬送速度で除算することによって算出された遅延時間分、裁断処理の停止を遅延させるようにしてもよい。
【符号の説明】
【０１０２】
１０、１０ａ    画像形成装置
１１、２３    ＣＰＵ
１２、２４    メモリ
１３、２５    記憶装置
１４、２６    通信ＩＦ
１５、２７    ＵＩ装置
１６    印刷部
１７、２８    制御バス
２０、２０ａ    裁断処理装置
２１    カット機構
２２    搬送部
３０    通信ケーブル
４１    裁断信号受信部
４２、５２    たるみ量算出部
４３    遅延時間算出部
４４    停止指示送信部
４５、５５    制御部
４６、５６    記憶部
５１    取得部
５３    カット回数算出部
５４    停止指示受信部
【図１】
2015221532.tif 000003
【図２】
2015221532.tif 000004
【図３】
2015221532.tif 000005
【図４】
2015221532.tif 000006
【図５】
2015221532.tif 000007
【図６】
2015221532.tif 000008
【図７】
2015221532.tif 000009
【図８】
2015221532.tif 000010
【図９】
2015221532.tif 000011
【図１０】
2015221532.tif 000012
【図１１】
2015221532.tif 000013
【図１２】
2015221532.tif 000014
【図１３】
2015221532.tif 000015
【図１４】
2015221532.tif 000016